(57)【要約】【課題】特に坪量の小さいシート（薄紙）のシート先端へのダメージを防止しながら、高速搬送においても十分な斜行補正を実施可能にしたシート搬送装置を提供する。【解決手段】原稿送り部４１は、原稿Ｄを搬送する搬送ローラ１１ｂと、搬送ローラ１１ｂのシート搬送方向下流に配置されたレジストローラ対６３と、レジストローラ対６３のニップ部Ｎの上流で、搬送されてくる原稿Ｄの先端が当接し該原稿Ｄに押されて移動し原稿Ｄを通過させるレジシャッタ５２とを備えている。原稿送り部４１は更に、レジシャッタ５２と搬送ローラ１１ｂとの間に配置され、レジシャッタ５２の上流で、搬送されてくる原稿Ｄの先端が当接し該原稿Ｄに押されて移動し原稿Ｄを通過させるレジシャッタ５１とを備える。【選択図】図３
2015209321.tif 000002
【特許請求の範囲】
【請求項１】
シートを搬送する第１搬送回転体と、
前記第１搬送回転体のシート搬送方向下流に配置された第２搬送回転体と、
前記第２搬送回転体のニップ部の上流で、搬送されてくるシートの先端が当接し該シートに押されて移動しシートを通過させる第１シャッタ部材と、
前記第１シャッタ部材と前記第１搬送回転体との間に配置され、前記第１シャッタ部材の上流で、搬送されてくるシートの先端が当接し該シートに押されて移動しシートを通過させる第２シャッタ部材と、を備える、
ことを特徴とするシート搬送装置。
【請求項２】
前記第１及び第２シャッタ部材はそれぞれ、搬送されるシートと当接する複数の当接部を有し、
前記第１シャッタ部材に設けられた前記複数の当接部と、前記第２シャッタ部材に設けられた前記複数の当接部のシート搬送方向と直交する方向の位置が異なる位置に配置されている、
ことを特徴とする請求項１に記載のシート搬送装置。
【請求項３】
シート先端を当接させて停止させる前記第２シャッタ部材の停止力は、前記第１シャッタ部材の停止力よりも小さく設定されている、
ことを特徴とする請求項１又は２に記載のシート搬送装置。
【請求項４】
シート先端を当接させて停止させる前記第１及び第２シャッタ部材の各停止力は、同程度に設定されている、
ことを特徴とする請求項１又は２に記載のシート搬送装置。
【請求項５】
前記第２シャッタ部材のシート搬送方向上流には、搬送されてくるシートの先端が当接し該シートに押されて移動しシートを通過させる第３シャッタ部材がシート搬送方向に沿って少なくとも１つ以上配置されている、
ことを特徴とする請求項１乃至４の何れか１項に記載のシート搬送装置。
【発明の詳細な説明】
【技術分野】
【０００１】
本発明は、シートを搬送するシート搬送装置に関し、特にシートの斜行を補正する斜行補正の構成に関する。
【背景技術】
【０００２】
従来、この種の画像形成装置では、例えば次のようなシートの斜行補正装置を備えたものが知られている。即ち、この斜行補正装置は、シートの搬送経路上に配置されたニップ部を備えるレジストローラ対と、レジストローラ対に設けられたシャッタ手段（レジシャッタ）と、シートをレジストローラ対に搬送する搬送ローラ装置とを有している（特許文献１参照）。
【０００３】
上記シャッタ手段（レジシャッタ）は、ニップ部（レジニップ）に進入しようとするシートの先端に当接して該シートを所定の停止力で停止させてその姿勢を揃えると共に、該シートの搬送力によって搬送経路上から退避させられる当接部を有している。この斜行補正装置を備えた画像形成装置では、搬送ローラ装置の搬送速度が、レジストローラ対の搬送速度と同じか或いは小さくなるように構成されている。更に、シート後端が搬送ローラ装置を通過するまではレジストローラ対と搬送ローラ装置間で形成されるループを維持可能な速度になるように構成される。
【先行技術文献】
【特許文献】
【０００４】
【特許文献１】特開平１１−１３９６２６号公報
【発明の概要】
【発明が解決しようとする課題】
【０００５】
しかし、特許文献１の構成では、シート先端にダメージが生じないようにシャッタ手段の搬送抵抗を弱く設定しているため、当接部にシート先端を十分に押し付けるためのループ形成量が小さく、良好な斜行補正は困難であった。また、坪量の小さいシート（薄紙）への対応や、高速化に対処する場合には、ダメージ対策のために更に搬送抵抗を弱くすることが必要になり、シートの厚さや搬送速度等の条件に対する制約が多く、煩雑であった。
【０００６】
そこで、本発明は、特に坪量の小さいシート（薄紙）の先端へのダメージを防止しながら、高速搬送においても十分な斜行補正を実施可能にしたシート搬送装置を提供することを目的としている。
【課題を解決するための手段】
【０００７】
本発明は、シート搬送装置において、シートを搬送する第１搬送回転体と、前記第１搬送回転体のシート搬送方向下流に配置された第２搬送回転体と、前記第２搬送回転体のニップ部の上流で、搬送されてくるシートの先端が当接し該シートに押されて移動しシートを通過させる第１シャッタ部材と、前記第１シャッタ部材と前記第１搬送回転体との間に配置され、前記第１シャッタ部材の上流で、搬送されてくるシートの先端が当接し該シートに押されて移動しシートを通過させる第２シャッタ部材とを備えることを特徴とする。
【発明の効果】
【０００８】
本発明によると、特に坪量の小さいシート（薄紙）の先端へのダメージを防止しつつ、高速搬送においても充分な斜行補正を実施可能にしたシート搬送装置を提供することができる。
【図面の簡単な説明】
【０００９】
【図１】本発明の実施形態に係る画像読取装置を備えた画像形成装置を示す概略断面図である。
【図２】画像読取装置の全体構成を示す概略断面図である。
【図３】（ａ）は自動原稿送り装置に複数のレジシャッタを用いたレジ取り構成を説明するもので、レジシャッタの初期位置を示す概略断面図、（ｂ）は上流のレジシャッタを通過して下流のレジシャッタに当接した状態を示す概略断面図である。
【図４】（ａ）は下流のレジシャッタに当接してレジループを形成しつつレジニップに挟持される状態を示す概略断面図、（ｂ）は上流のレジシャッタと下流のレジシャッタの搬送抵抗を受けつつ搬送される状態を示す概略断面図である。
【図５】複数のレジシャッタの当接位置を原稿の幅方向の異なる位置に配置した状態を示す平面図である。
【図６】（ａ），（ｂ）は比較例の自動原稿送り装置のレジシャッタを用いたレジ取り構成を説明する概略断面図である。
【図７】（ａ）は比較例におけるレジシャッタとレジストローラ対との位置関係を示す斜視図、（ｂ）は比較例における自動原稿送り装置のユーザ操作ミスによる原稿セット状態を説明する原稿給紙トレイの平面図である。
【発明を実施するための形態】
【００１０】
以下、本発明の実施形態に係る画像読取装置及びこの画像読取装置を備えた画像形成装置について図面に基づいて説明する。なお、図１は、本実施形態に係る画像形成装置の一例である複写機をシート搬送方向に沿って断面状態で示す断面図である。
【００１１】
複写機等の画像形成装置４０は、装置本体４０ａと、装置本体４０ａの上部に備えられた画像読取装置４３とを備えている。画像読取装置４３は、画像読取部４２と、画像読取部４２の上に設けられたシート搬送装置としての原稿送り部（ＡＤＦ）４１とを有している。画像読取装置４３は、シート状の原稿Ｄの画像を読み取って画像を電気信号に変換し、電気信号に基づいて画像データを形成する。装置本体４０ａでは、画像の電気信号や画像データに基づいてシートＰに画像を形成する。
【００１２】
原稿送り部４１は、ユーザ等により原稿給紙トレイ１７に載置された画像読取前の原稿（シート）Ｄを画像読取部４２に自動的に搬送するように構成されている。画像読取部４２は、搬送されている原稿Ｄに第１原稿読取部Ｒ１（図２参照）で照射した光の反射光を受光して、原稿Ｄを光学的に読み取って電気信号に変換し、電気信号に基づいて画像データ（画像読取情報）を作成する。
【００１３】
画像形成装置４０の装置本体４０ａでは、画像データに基づいてシートＰに複写画像を形成する。装置本体４０ａは、原稿Ｄの画像の電気信号や画像データに基づいて露光部２３を作動させて、回転する感光ドラム２１の表面に静電潜像を形成する。静電潜像は、現像器２４で現像（トナーを供給）されてトナー画像となる。
【００１４】
一方、装置本体４０ａの下部には、各種サイズのシートＰを装填したシート載置部１９ａ，１９ｂ，１９ｃ，１９ｄが配置されている。シート載置部１９ａ〜１９ｄのシートＰは、それぞれ給送ローラ２０ａ，２０ｂ，２０ｃ，２０ｄによって１枚ずつ送り出され、搬送ローラ３１へ受け渡される。シートＰは、手差しトレイ１９ｅからも給送ローラ２０ｅへ受け渡されるようになっている。
【００１５】
その後、シートＰは、レジストローラ対３６によって斜行を真っ直ぐに補正されて、かつ感光ドラム２１上のトナー画像と位置を合わされて、感光ドラム２１と転写帯電器２５との間に供給される。シートＰは、転写帯電器２５によって感光ドラム上のトナー画像を転写され、分離帯電器２６によって感光ドラム２１から分離される。クリーナ２７は、トナー画像を転写した感光ドラム２１の表面をクリーニングする。そして、帯電器２２は、次の露光に備えて感光ドラム２１の表面を帯電する。
【００１６】
一方、トナー画像を転写されたシートＰは、ベルト搬送部２８によって定着器２９へ搬送され、定着器２９で加熱と加圧を受けて表面にトナー画像を定着される。そして、トナー画像が定着されたシートＰは、排出トレイ３０に排出される。
【００１７】
以上説明した、画像形成装置４０は、装置本体４０ａ内に備えたＣＰＵを有する制御部３２によって制御される。また、感光ドラム２１、帯電器２２、現像器２４等により画像形成部３３が構成されている。
【００１８】
［画像読取装置］
図２は、画像読取装置４３の全体構成を示す図である。即ち、本実施形態に係る画像読取装置４３は、画像読取部４２と、その上部に配置されたシート搬送装置としての原稿送り部４１とを有している。画像読取部４２には、透明部材である例えば流し読みガラス４と、読取手段である例えば画像読取センサ５とが設けられている。原稿送り部（シート搬送装置）４１には、裏面支持手段である例えばプラテンローラ１２と、反射部材である例えば白色シート状部材１６と、照明素子である例えば照明素子６とが設けられている。
【００１９】
画像読取部４２は、原稿Ｄをブック読み方式で読み取る第１原稿読取部Ｒ１と、原稿Ｄを流し読み方式で読み取る第２原稿読取部Ｒ２とを有している。ブック読み方式は、原稿Ｄの形態の自由度が高く、ブック状の原稿Ｄや立体物等も読み取り可能であるという利点を持つ。これに対して、流し読み方式は、大量のシート状の原稿Ｄを、短時間で自動的に処理できるという利点を持つ。
【００２０】
原稿送り部４１は、画像読取部４２の上部に蝶番等で取り付けられ、画像読取部４２に対し回動して上下に開閉可能に支持されている。原稿送り部４１は、原稿給紙トレイ１７に積載された原稿Ｄを搬送ローラ１１ａで１枚ずつ取り込み、搬送ローラ１１ｂ、１１ｃ、１１ｅ等で搬送して、画像読取部４２側の画像読取センサ５の上方を通過させる。そして、画像の読み取りが済んだ原稿Ｄは、搬送ローラ対１１ｆにより原稿排出部１３に排出されて積載される。上記搬送ローラ１１ｂは、原稿（シート）Ｄを搬送する第１搬送回転体を構成している。
【００２１】
原稿送り部４１は、レジストローラ６０及び従動コロ６１からなるレジストローラ対６３（図３参照）を有している。このレジストローラ対６３は、搬送ローラ（第１搬送回転体）１１ｂのシート搬送方向下流に配置された第２搬送回転体を構成する。レジストローラ６０の軸６０ａ（図３参照）には、同軸状にレジシャッタ５２（図３参照）が設けられている。このレジシャッタ５２は、レジストローラ対（第２搬送回転体）６３のニップ部（レジニップ）Ｎの上流で、搬送されてくる原稿（シート）Ｄの先端を当接させて斜行を補正しつつ該原稿Ｄに押されて移動し原稿Ｄを通過させる第１シャッタ部材を構成する。
【００２２】
原稿送り部４１は、レジシャッタ５２と搬送ローラ１１ｂとの間に配置され、レジシャッタ５２の上流で、搬送されてくる原稿Ｄの先端（シート先端）を当接させて斜行を補正しつつ該原稿Ｄに押されて移動し原稿Ｄを通過させるレジシャッタ５１を有する。このレジシャッタ５１は、第２シャッタ部材を構成している。
【００２３】
［比較例の原稿送り部］
ここで、図６（ａ），（ｂ）及び図７（ａ），（ｂ）を参照して、比較例に係る原稿送り部について説明する。なお、図６（ａ）は、比較例における原稿送り部のレジシャッタを用いたレジ取り構成を説明するもので、レジシャッタの初期位置を示す概略断面図である。図６（ｂ）は、比較例における原稿送り部のレジシャッタを用いたレジ取り構成を説明するもので、レジループを形成しながらレジニップに挟持される状態を示す概略断面図である。また、図７（ａ）は、比較例におけるレジシャッタとレジストローラ対との位置関係を示す斜視図である。図７（ｂ）は、比較例における原稿送り部のユーザ操作ミスによる原稿セット状態を説明する原稿給紙トレイの平面図である。
【００２４】
図６（ａ）に示すように、原稿送り部の読み取り前の、外力が作用していない状態では、レジシャッタ５２は、矢印Ｃで示す原稿搬送方向（シート搬送方向）に搬送される原稿Ｄの斜行を補正し得るように回転可能に位置している。このレジシャッタ５２は、原稿搬送方向（矢印Ｃ方向）に搬送されている原稿Ｄの先端が当接するように軸方向に配列された複数の当接部５２ａを有している。
【００２５】
複数の当接部５２ａは、ニップ部Ｎの原稿搬送方向（矢印Ｃ方向）の上流側に突出した状態が初期状態（初期位置）となっている。レジシャッタ５２と搬送ローラ１１ｂとの間には、搬送ローラ１１ｂから搬送されてくる原稿Ｄをレジシャッタ５２に案内するガイドローラ７１が回転自在に配置されている。
【００２６】
搬送ローラ１１ｃ，１１ｂにより、斜行した状態で矢印Ｃ方向に搬送されてきた原稿Ｄは、ガイドローラ７１に案内されて先端がレジシャッタ５２の各当接部５２ａに当接すると、全ての当接部５２ａに対して先端が揃うことによってその斜行を補正される。
【００２７】
このようにして斜行が補正された原稿Ｄは、原稿搬送方向（矢印Ｃの方向）に更に搬送されるため、図６（ｂ）に示すように、原稿Ｄの剛性（腰）によってレジシャッタ５２が矢印Ｂ方向（同図の反時計回り方向）に回転する。この回転により、原稿Ｄがニップ部Ｎに到達できるので、原稿Ｄがニップ部Ｎに挟持されながらレジストローラ対６３により原稿搬送方向（矢印Ｃの方向）に更に搬送される。
【００２８】
ここで、図７（ａ）に示すように、レジシャッタ５２は、レジストローラ６０のローラ部とローラ部との間において軸６０ａと同軸になるように回転可能に支持されている。レジシャッタ５２は、軸６０ａと同軸で原稿搬送方向（矢印Ｃ方向）と直交する幅方向（矢印Ｅ方向）に延在する軸５２ｂと、軸５２ｂの軸方向に間隔をあけて配列されて径方向に突出する複数（本例では４つ）の当接部５２ａを有している。
【００２９】
複数の当接部５２ａは、軸５２ｂ（軸６０ａ）と平行に延設される長尺の保持部材５４によって当接部５２ａと反対側が共通に保持されている。これにより、各当接部５２ａは、軸５２ｂから同じ角度で外方に突出した状態で、軸５２ｂに対し一体的に回動することが可能に構成される。
【００３０】
レジシャッタ５２は、各当接部５２ａが不図示のトーションバネにより図７（ａ）の時計回り方向に付勢された状態で同図に示す回転位置で停止するようにストッパ（不図示）で規制されている。従って、原稿搬送方向に搬送されてきた原稿Ｄの先端で押されて反時計回り方向に回転しながら原稿Ｄの先端をレジストローラ対６３のニップ部Ｎに案内する。そして、各当接部５２ａにより姿勢を整えられて斜行補正された原稿Ｄの後端がニップ部Ｎを通過した瞬間、トーションバネの付勢力で図７（ａ）に示す位置に復帰する。
【００３１】
レジシャッタ５２の幅方向（矢印Ｅ方向）の長さは、レジシャッタ５２が組み込まれた画像形成装置４０で使用される最大サイズ（例えばＡ４サイズ）の原稿Ｄの幅よりもやや短くなるように設定されている。また、レジシャッタ５２の当接部５２ａは、最大サイズの原稿の幅に合わせて設けられているおり、図７（ａ）では４個を図示しているが、４〜６個ほど設けることが可能である。
【００３２】
従って、最大サイズの原稿Ｄよりも小さいサイズ（例えばＡ５サイズやＡ６サイズ）の原稿が矢印Ｃ方向に搬送される場合、この小サイズの原稿の先端が、レジシャッタ５２の複数の当接部５２ａのいずれかに当接することによりその斜行が補正される。このようにレジシャッタ５２のみを用いた本比較例のメカシャッタ構成では、原稿先端にダメージが生じないように、原稿先端を当接させて停止させる停止力（搬送抵抗）が極力弱く設定されている。
【００３３】
そのため、レジシャッタ５２のみを用いた本比較例では、ユーザの操作ミス等で原稿給紙トレイ１７の両端部の原稿幅規制板３８，３９が開いた状態で原稿Ｄ１が傾いてセットされると（図７（ｂ））、以下のような不都合が生じるおそれがあった。即ち、原稿給紙時には、レジシャッタ５２による斜行補正が行われず、斜行したままで搬送してしまうおそれがあった。また、より多くのメディアに対応させるため、薄紙の搬送性を保証する場合や、読み取り速度を高速化する場合には、ダメージ対策のために更に搬送抵抗を弱くする必要があり、斜行補正性能を低下させるか、原稿の搬送条件を限定することが必要になってしまう。
【００３４】
そこで、本実施形態では、図３（ａ），（ｂ）及び図４（ａ），（ｂ）に示すように、第１シャッタ部材であるレジシャッタ５２の原稿搬送方向（シート搬送方向）の上流に、第２シャッタ部材としてのレジシャッタ５１を配置している。このように、ニップ部Ｎ前に、原稿搬送方向（矢印Ｃ方向）においての異なる位置に２つのレジシャッタ５１，５２を配置することで、斜行補正性能をより向上させている。
【００３５】
なお、図３（ａ）は、原稿送り部４１に２つのレジシャッタを用いたレジ取り構成を説明するもので、レジシャッタの初期位置を示す概略断面図である。図３（ｂ）は、上流のレジシャッタ５１を通過して下流のレジシャッタ５２に当接した状態を示す概略断面図である。また、図４（ａ）は、上流のレジシャッタ５１を通過して下流のレジシャッタ５２に当接してレジループを形成しながらニップ部に挟持される状態を示す図である。図４（ｂ）は、上流のレジシャッタ５１と下流のレジシャッタ５２の搬送抵抗を受けながら搬送される状態を示す概略断面図である。なお、図３（ａ），（ｂ）及び図４（ａ），（ｂ）では、図２に示したプラテンローラ１２及び搬送ローラ１１ｅ等は図示を省略している。
【００３６】
本実施形態のレジシャッタ５２は、図７（ａ）で述べたように、原稿搬送方向（矢印Ｃ方向）と直交する幅方向（矢印Ｅ方向）に延在する軸５２ｂと、軸５２ｂの軸方向に間隔をあけて配列されて径方向に突出する複数（例えば４つ）の当接部５２ａを有する。また、レジシャッタ５１も同様に、原稿搬送方向と直交する幅方向に延在する軸５１ｂと、軸５１ｂの軸方向（図３の手前−奥方向）に間隔をあけて配列されて径方向に突出する複数（例えば４つ）の当接部５１ａを有している。複数の当接部５１ａは、原稿搬送方向（矢印Ｃ方向）のやや上流側に突出した状態が初期状態（初期位置）となっている。
【００３７】
本実施形態では、原稿搬送方向においての異なる回転中心と当接位置とで２箇所にレジシャッタ５１，５２を設けることで、従来よりもレジシャッタの搬送抵抗を小さくしても、斜行補正を２回行うことができるので以下の利点がある。即ち、１箇所だけのレジシャッタ５２では補正困難であった斜行も、レジシャッタ５１，５２による斜行補正により、ユーザの原稿セットミスによる斜行を適切に補正することが可能になった。
【００３８】
また、レジシャッタ５１，５２として２箇所に設けられることにより、レジシャッタの１箇所あたりの搬送抵抗を小さくすることが可能になり、薄紙がレジシャッタに当接する際の先端ダメージを極力防止することが可能になった。
【００３９】
図３（ａ）に示すように、原稿搬送方向（矢印Ｃ方向）に搬送されてきた原稿Ｄは、１つ目のレジシャッタ５１の当接部５１ａに当接し、レジシャッタ５１を図３（ｂ）に示す状態まで回転移動させて、２つ目のレジシャッタ５２に当接する。
【００４０】
そして、図４（ａ）に示すように原稿Ｄが２つ目のレジシャッタ５２を回転させると、原稿Ｄはレジシャッタ５１，５２の各搬送抵抗を受けてからニップ部Ｎ（レジニップ）に到達することになる。従って、図４（ｂ）に示すようにレジシャッタ５１，５２を押し退けた状態で搬送されるため、多くのレジループが形成され、高精度の斜行補正が可能になる。
【００４１】
また、原稿搬送速度が高い場合でも、上流のレジシャッタ５１の搬送抵抗を、図６（ａ），（ｂ）で説明した比較例のレジシャッタ５２よりも低く設定し、本実施形態におけるレジシャッタ５２の搬送抵抗をレジシャッタ５１よりも高く設定することができる。つまり、原稿先端を当接させて停止させるレジシャッタ５１の停止力を、レジシャッタ５２の停止力よりも小さく設定する。この場合、レジシャッタ５１を回転付勢するトーションバネ（不図示）に、レジシャッタ５２を回転付勢するトーションバネ（不図示）の付勢力（バネ力）よりも弱いものを用いる。
【００４２】
以上のように本実施形態では、レジシャッタをニップ部Ｎ前に原稿搬送方向に異なる位置で２つ設け、第１のレジシャッタ５１の搬送抵抗を従来より低く設定しつつ第２のレジシャッタ５２の搬送抵抗をレジシャッタ５１より高く設定することができる。これにより、レジニップ直前のシャッタ搬送抵抗が高くても第１のレジシャッタ５１通過時の抵抗で原稿Ｄの搬送速度が小さくなるため、原稿先端へのダメージを防止しながら斜行を補正することができる。
【００４３】
このように、レジシャッタの上流側と下流側の搬送抵抗に差を付けることで、原稿先端のダメージを防止しながらニップ部Ｎ（レジニップ）前にて確実にレジループを形成することができる。このため、レジニップ直前のレジシャッタ５２の搬送抵抗が高いとしても、１つ目のレジシャッタ５１通過時の搬送抵抗で原稿Ｄの搬送速度が低減されるので、原稿先端へのダメージを防止しながらレジシャッタ５２での斜行補正を実施することができる。
【００４４】
或いはこれに代えて、原稿先端を当接させて停止させるレジシャッタ５１，５２の各停止力を、相互に同程度となるように設定することもできる。この場合、上流側のレジシャッタ５１と下流側のレジシャッタ５２の搬送抵抗が同等であることで、原稿先端のダメージを防止しながらニップ部Ｎ（レジニップ）前に適正にレジループを形成することができる。
【００４５】
なお、レジシャッタ５１，５２の搬送抵抗の負荷手段として、本実施形態ではトーションバネ（不図示）を用いたが、これ以外にも、レジシャッタの自重を用いる方法などでも良く、バネに限定されるものではない。
【００４６】
ここで、図５は、レジシャッタ５１，５２の当接位置を原稿Ｄの幅方向（同図の左右方向）の異なる位置に配置した状態を示す平面図である。
【００４７】
本実施形態では、図５に示すように、レジシャッタ５２に設けられた複数の当接部５２ａと、レジシャッタ５１に設けられた複数の当接部５１ａとを、原稿搬送方向に見た際に軸方向（同図の左右方向）にて互い違いとなるように配置している。即ち、複数の当接部５２ａと複数の当接部５１ａのシート搬送方向と直交する方向の位置が異なる位置に配置されている。このように、レジシャッタ５１，５２における当接位置を原稿幅方向にも異なるように配置する構成を備えることで、レジシャッタ５１の原稿先端当接位置と、レジシャッタ５２の原稿先端当接位置とを、原稿の幅方向で異なる位置にレイアウトできる。
【００４８】
そのため、原稿Ｄがレジシャッタ５１，５２にそれぞれ当接する際の先端部のダメージを効率良く分散できるので、同一位置にレイアウトする場合に比べて原稿Ｄのダメージを大幅に低減することができる。
【００４９】
本実施形態では、第１シャッタ部材であるレジシャッタ５２と第２シャッタ部材であるレジシャッタ５１を夫々１つずつ設けていた。しかしこれに限らず、図４（ａ）に破線で示すように、レジシャッタ５１の更に原稿搬送方向上流（シート搬送方向上流）に、第３シャッタ部材としてのレジシャッタ５５を原稿搬送方向（矢印Ｃ方向）に沿って少なくとも１つ以上配置することが可能である。レジシャッタ５５は、レジシャッタ５１と同様の構成を有し、レジシャッタ５１と搬送ローラ１１ｂとの間に配置され、レジシャッタ５１の上流で、搬送されてくる原稿Ｄの先端を当接させて斜行を補正しつつ該原稿Ｄに押されて移動し原稿Ｄを通過させる。この場合、斜行補正性能を一層高精度にすることが可能になる。
【００５０】
また、本実施形態では、画像読取装置４３の原稿送り部４１の斜行補正手段として説明したが、これに限らず、画像形成装置４０におけるレジストローラ対３６を含む斜行補正手段に適用することも可能である。その場合にも、ほぼ同様の効果を得ることが可能である。
【符号の説明】
【００５１】
１１ｂ…第１搬送回転体（搬送ローラ）／４１…シート搬送装置（原稿送り部）／５１…第２シャッタ部材（レジシャッタ）／５１ａ…当接部／５１ｂ…軸／５２…第１シャッタ部材（レジシャッタ）／５２ａ…当接部／５２ｂ…軸／５５…第３シャッタ部材（レジシャッタ）／６３…第２搬送回転体（レジストローラ対）／Ｃ…シート搬送方向（原稿搬送方向）／Ｄ…シート（原稿）／Ｅ…シートの幅方向（原稿の幅方向）／Ｎ…ニップ部
【図１】
2015209321.tif 000003
【図２】
2015209321.tif 000004
【図３】
2015209321.tif 000005
【図４】
2015209321.tif 000006
【図５】
2015209321.tif 000007
【図６】
2015209321.tif 000008
【図７】
2015209321.tif 000009